(57)【要約】【課題】部品点数の削減および軽量化を図りながら確実にユーザーに正しい使用を促すことができる電気掃除機を提供すること。【解決手段】集塵ユニットと、前記集塵ユニットを着脱可能に装着させる装着部を有する駆動装置と、前記集塵ユニットを前記駆動装置の装着部へ着脱可能とするロック機構部とを備え、  前記集塵ユニットは、フィルター部と、前記フィルター部を着脱可能に保持するフィルター保持部と、前記フィルター保持部を着脱可能に保持するダストカップ部とを有し、  前記ロック機構部は、前記駆動装置の前記装着部に設けられた第１係止部と、前記第１係止部と係脱可能に前記フィルター部に設けられた第２係止部とを有することを特徴とする電気掃除機。【選択図】図１０
2019122659.tif 000002
【特許請求の範囲】
【請求項１】
集塵ユニットと、前記集塵ユニットを着脱可能に装着させる装着部を有する駆動装置と、前記集塵ユニットを前記駆動装置の装着部へ着脱可能とするロック機構部とを備え、
前記集塵ユニットは、フィルター部と、前記フィルター部を着脱可能に保持するフィルター保持部と、前記フィルター保持部を着脱可能に保持するダストカップ部とを有し、
前記ロック機構部は、前記駆動装置の前記装着部に設けられた第１係止部と、前記第１係止部と係脱可能に前記フィルター部に設けられた第２係止部とを有することを特徴とする電気掃除機。
【請求項２】
前記第１係止部が、係止凹部を有し、
前記第２係止部が、係止爪と、前記係止爪を前記係止凹部に係止させる方向に付勢する付勢部材とを有する請求項１に記載の電気掃除機。
【請求項３】
前記第１係止部が、係止孔部を有し、
前記第２係止部が、前記係止孔部に係脱可能に係止する係止凸部と、前記係止孔部に対して前記係止凸部を係脱させる方向に弾性変形可能な係止片部とを有する請求項１に記載の電気掃除機。
【請求項４】
前記駆動装置が、ハンドルを有するハンディ型である請求項１〜３のいずれか１つに記載の電気掃除機。
【請求項５】
前記駆動装置が、車輪を有するキャニスター型である請求項１〜３のいずれか１つに記載の電気掃除機。
【発明の詳細な説明】
【技術分野】
【０００１】
本発明は電気掃除機に関する。
【背景技術】
【０００２】
従来の電気掃除機として、例えば特許文献１には、駆動装置の装着部に集塵ユニットを着脱可能に装着できる掃除機本体を備えたハンディ型電気掃除機が開示されている。
特許文献１の電気掃除機において、集塵ユニットは、大きなダストを捕集するメッシュフィルターおよびその上部に設けられたカップ部を有する第１フィルター部と、第１フィルター部のカップ部に着脱可能に装着されて微細なダストを捕集する第２フィルター部と、第１フィルター部を着脱可能に保持するダストカップと、第１フィルター部に装着された第２フィルター部を覆うカップカバーとを備える。
【０００３】
さらに、前記集塵ユニットは、第１フィルター部のダストカップへの装着状態を維持するようダストカップに設けられた第１ロック機構と、駆動装置の装着部への集塵ユニットの装着状態を維持するようにカップカバーに設けられた第２ロック機構と、第１フィルター部に設けられた忘れ防止機構とを備えている。
【０００４】
前記忘れ防止機構は、第１フィルター部に第２フィルター部が装着されていない場合、忘れ防止機構がカップカバーの一部に引っ掛かる位置に移動することで、カップカバーが第１フィルター部に最後まで装着できないようになることで忘れ防止機構として機能する。この忘れ防止機構により、第２フィルター部の装着忘れをユーザーに気付かせて正しい電気掃除機の使用を促すと共に、第２フィルター部を有さない状態で電気掃除機を駆動させ、ダストを吸い込んだ駆動装置が故障するという不具合を防止することが可能となっている。
【先行技術文献】
【特許文献】
【０００５】
【特許文献１】特開２０１７−０００３９５号公報
【発明の概要】
【発明が解決しようとする課題】
【０００６】
近年、特に特許文献１のようなハンディ型の電気掃除機では軽量化が求められている。また、特許文献１の電気掃除機の場合、第２フィルター部が組み込まれていない集塵ユニット（第１フィルター部とダストカップとの組み立て体）を駆動装置の装着部にユーザーが無理矢理装着して使用するおそれがあった。
【０００７】
本発明は、このような課題に鑑みなされたものであり、部品点数の削減および軽量化を図りながら確実にユーザーに正しい使用を促すことができる電気掃除機を提供することを目的とする。
【課題を解決するための手段】
【０００８】
かくして、本発明によれば、集塵ユニットと、前記集塵ユニットを着脱可能に装着させる装着部を有する駆動装置と、前記集塵ユニットを前記駆動装置へ着脱可能とするロック機構部とを備え、
前記集塵ユニットは、フィルター部と、前記フィルター部を着脱可能に保持するフィルター保持部と、前記フィルター保持部を着脱可能に保持するダストカップ部とを有し、
前記ロック機構部は、前記駆動装置の前記装着部に設けられた第１係止部と、前記第１係止部と係脱可能に前記フィルター部に設けられた第２係止部とを有する電気掃除機が提供される。
【発明の効果】
【０００９】
本発明の電気掃除機によれば、フィルター部とフィルター保持部とダストカップとを組み込んだ集塵ユニットを駆動装置の装着部に装着し、ロック機構部におけるフィルター部側の第２係止部を駆動装置側の第１係止部に係止させて集塵ユニットの装着状態を維持するように構成されているため、フィルター部が組み込まれていない集塵ユニット（フィルター保持部とダストカップとの組み立て体）を駆動装置の装着部に装着しようとしても装着することができない。すなわち、フィルター部はダストを捕集する機能に加えて、フィルター部の装着忘れを防止する機能と、集塵ユニットの装着部への装着状態を維持する機能とを有している。
したがって、フィルター部とは別に装着忘れ防止機構を設ける必要がないため、集塵ユニットの部品点数削減および軽量化を図りながら確実にユーザーに正しい使用を促すことができる。
【図面の簡単な説明】
【００１０】
【図１】本発明の電気掃除機の実施形態１を示す左側面図である。
【図２】実施形態１の電気掃除機における掃除機本体を示す左側面図である。
【図３】図２の掃除機本体の側断面図である。
【図４】図２の掃除機本体の斜視図である。
【図５】実施形態１の掃除機本体における集塵ユニットを示す側断面図である。
【図６】図５の集塵ユニットにおけるフィルター部を示す斜視図である。
【図７】図３のフィルター部であって（Ａ）はロック機構部の第２係止部のロック状態、（Ｂ）はロック解除状態を示す縦断面図である。
【図８】図３の集塵ユニットからフィルター部を取り外した状態であって（Ａ）は正面図、（Ｂ）は斜視図である。
【図９】図８（Ａ）のＩ−Ｉ線矢視断面図である。
【図１０】実施形態１における集塵ユニットを駆動装置に装着する状態を示す側断面図である。
【図１１】実施形態１におけるフィルター部が組み込まれていない集塵ユニットを駆動装置に装着した状態を示す側断面図である。
【図１２】実施形態２におけるフィルター部を示す側断面図である。
【図１３】実施形態２における駆動装置の第１係合部を示す拡大断面図である。
【図１４】実施形態３の電気掃除機の内部構造を説明する概略図である。
【図１５】図１４の電気掃除機におけるフィルター部が組み込まれていない集塵ユニットを駆動装置に装着した状態を示す概略図である。
【発明を実施するための形態】
【００１１】
（実施形態１）
図１は、本発明の電気掃除機の実施形態１を示す左側面図である。
実施形態１の電気掃除機１は、掃除機本体１０と、延長管２０と、吸込口体４０とを備える。延長管２０としては、管そのものを延長できる構造の有無には関係しなくてもよい。吸込口体４０を掃除機本体１０に直接取り付けて掃除を行うハンディタイプに比べて、吸込口体４０を延長管２０を介して掃除機本体２０に取り付けて掃除する場合は、掃除機本体１０から吸込口体４０までの距離を長くしたスティックタイプとして掃除を行うことができる。
【００１２】
＜掃除機本体について＞
図２は実施形態１の電気掃除機における掃除機本体を示す左側面図であり、図３は図２の掃除機本体の側断面図であり、図４は図２の掃除機本体の斜視図である。
掃除機本体１０は、駆動装置１１と、駆動装置１１に着脱可能に装着されるサイクロン方式の集塵ユニット１２およびバッテリー１３と、集塵ユニット１２を駆動装置１１へ着脱可能とするロック機構部１１ｇ（以下、第１ロック機構部１１ｇという）とを備える。
【００１３】
［駆動装置］
図１〜図４に示すように、駆動装置１１は、電動送風機１１ａｍを内蔵する本体部１１ａと、本体部１１ａに連設されたバッテリー装着部１１ｂと、本体部１１ａとバッテリー装着部１１ｂとに連設された両端部を有するハンドル１１ｃと、本体部１１ａとハンドル１１ｃとの接合部に連設されてハンドル１１ｃとは反対側へ突出する吸込筒部１１ｄとを有する。
以下、駆動装置１１における吸込筒部１１ｄ側を前方、ハンドル１１ｃ側を後方、バッテリー装着部１１ｂ側を下方、バッテリー装着部１１ｂと反対側を上方、ハンドル１１ｃを手前に向けた状態での左側および右側を左方向および右方向として説明する。
【００１４】
本体部１１ａは、前方開口部１１ａ1を有する円筒形の筐体部分にて外郭が構成されており、その前方開口部１１ａ1には格子状のリブが設けられている。
また、本体部１１ａにおいて、前方開口部１１ａ1の端縁に沿って内鍔が設けられており、内鍔の下部は幅が広い内鍔幅広部１１ａ11となっている。
さらに、内鍔幅広部１１ａ11には、集塵ユニット１２に設けられた爪形の第２係止部１１ｇ2と係脱可能に係止する前方開口凹形の第１係止部１１ｇ1（第１ロック機構部１１ｇの一部）が設けられると共に、集塵ユニット１２に設けられた係止凹部１２ｃ11と係脱可能に係止する係止凸部１１ａ12が設けられている。
【００１５】
バッテリー装着部１１ｂは、下方および後方に開口しかつ奥部にバッテリー１３の端子部と電気的に接続可能な端子部が設けられた凹部を有し、その凹部内に後方からバッテリー１３を挿入して装着し、バッテリー１３を後方へ引き出して凹部から取り外せるように構成されている。
また、バッテリー装着部１１ｂを構成する筐体の右側面には、電動送風機１１ａｍを通過した気流を外部へ排出するための排気口１１ｂｘが形成されている。
【００１６】
ハンドル１１ｃは略Ｕ形に形成されており、その上部湾曲部の外側に操作部１１ｅが設けられている。
図３と図４に示すように、操作部１１ｅは、ハンドル１１ｃの上部湾曲部に設けられた凹部１１ｅ1と、凹部１１ｅ1の外側に取り付けられた弾性材料（ゴム、エラストマー等）からなるパッド部１１ｅ2と、凹部１１ｅ1の内側（筐体内）に設けられたスイッチユニット１１ｅ3とを有し、パッド部１１ｅ2を介してスイッチユニット１１ｅ3を押すことにより電動送風機１１ａｍの駆動、停止および駆動力の調整等を操作することができる。
【００１７】
図２〜図４に示すように、吸込筒部１１ｄは、前後方向に延びる筒状部材であり、ロック部材１１ｘ1およびフック部材１１ｘ2等を収納する凹部を前端部に有すると共に、集塵ユニット１２の後述する導入口１２ａ23と接続可能な接続口１１ｘ3を前後中間部の左側面に有している。
なお、吸込筒部１１ｄの下面および本体部１１ａの前方開口部１１ａ1に沿った横倒しＬ形部分が集塵ユニット１２を装着させる装着部となっている。
【００１８】
ロック部材１１ｘ1は、水平軸心廻りに揺動可能に吸込筒部１１ｄに取り付けられており、ロック部材１１ｘ1の前端部は吸込筒部１１ｄに形成された孔部から外部下方へ突出する押しボタン部として機能する。また、ロック部材１１ｘ1の後端部は、吸込筒部１１ｄの前方開口部１１ｄ1に延長管２０が差し込まれたときに、延長管２０の係合凹部（不図示）と係脱可能に係合する係合爪１１ｘ11として機能する。なお、ロック部材１１ｘ1と吸込筒部１１ｄとの間には、ロック部材１１ｘ1の前端部を下方（外側）へ付勢するコイルスプリングが設けられている。
【００１９】
フック部材１１ｘ2は、掃除機本体１０に装着した集塵ユニット１２の後述する係止凹部１２ａ21と係脱可能に係止する部材であり、吸込筒部１１ｄに形成された孔部から下方外部へ突出している。
【００２０】
また、吸込筒部１１ｄは、その後端部の下面側に、掃除機本体１０の装着部に装着された集塵ユニット１２の後述する別のロック機構部１２ｂ1（以下、第２ロック機構部１２ｂ1という）を収納する凹部および位置決め凸部１２ｃ21が嵌り込む凹部１１ｘ12を有している。
【００２１】
また、吸込筒部１１ｄの前端面には、本体部１１ａから引き出した一対のリード線（不図示）と電気的に接続された一対の雌型端子部１１ｙ12が設けられている。
一方、延長管２０の内部にも一対のリード線が設けられると共に、延長管２０の両端部には一対のリード線と電気的に接続された図示しない一対の雄型端子部および一対の雌型端子部が設けられている。
そして、延長管２０の一端部が駆動装置１１の吸込筒部１１ｄに差し込まれることにより、延長管２０の一対の雄型端子部が吸込筒部１１ｄの一対の雌型端子部１１ｙ12に差し込まれて電気的に接続する。
【００２２】
また、吸込口体４０内には回転ブラシ、回転ブラシ駆動用モータおよび回転ブラシ駆動用モータから引き出された一対のリード線が設けられると共に、吸込口体４０の延長管２０との接続端部には一対のリード線と電気的に接続されて延長管２０の一対の雌型端子部と電気的に接続可能な雄型端子部が設けられている。
【００２３】
［集塵ユニット］
図５は実施形態１の掃除機本体における集塵ユニットを示す側断面図であり、図６は図５の集塵ユニットにおけるフィルター部を示す斜視図である。また、図７は図３のフィルター部であって（Ａ）はロック機構部の第２係止部のロック状態、（Ｂ）はロック解除状態を示す縦断面図である。また、図８は図３の集塵ユニットからフィルター部を取り外した状態であって（Ａ）は正面図、（Ｂ）は斜視図である。また、図９は図８（Ａ）のＩ−Ｉ線矢視断面図である。
【００２４】
集塵ユニット１２は、底部１２ａ1、外周部１２ａ2および開口部１２ａ3を有する集塵容器としての円筒形ダストカップ部１２ａと、ダストカップ部１２ａの開口部１２ａ3に嵌め込まれるフィルター保持部１２ｂと、フィルター保持部１２ｂ内に着脱可能に収納されるフィルター部１２ｃと、ダストカップ部１２ａ内に収納されるようにフィルター保持部１２ｂに着脱可能に取り付けられる内筒部１２ｄとを備える。
【００２５】
《ダストカップ部》
ダストカップ部１２ａは、外周部１２ａ2における中心線Ｐ上の底部１２ａ1側に係止凹部１２ａ21が設けられると共に、外周部１２ａ2における中心線Ｐ上の開口部１２ａ3側に係止凸部１２ａ22が設けられている。さらに、ダストカップ部１２ａは、正面から視て、外周部１２ａ2における中心線Ｐからずれた位置に塵埃を含む空気を導入する前記導入口１２ａ23が設けられている。
【００２６】
《フィルター保持部》
フィルター保持部１２ｂは、中心孔およびその周囲の逆テーパ面を有する底部と、底部に連設された円筒形の外周部と、外周部に設けられた前記第２ロック機構部１２ｂ1と、底部下面における中心孔の周囲に設けられた一対の円弧状溝１２ｂ2と、外周部における底部付近に設けられたパッキン１２ｂ3と、外周部における開口端部から底部に亘って設けられた大きい第１切欠き部１２ｂ4と、外周部における開口端部に設けられた小さい第２切欠き部１２ｂ5とを有する。なお、第１切欠き部１２ｂ4は背面側に配置され、第２切欠き部１２ｂ5は正面側に配置されている。
【００２７】
第２ロック機構部１２ｂ1は、フィルター保持部１２ｂの外周面に設けられた逆Ｕ形のリブと、このリブに水平軸心回りに揺動可能に取り付けられた揺動片１２ｂ11と、揺動片１２ｂ11の下端に設けられてダストカップ部１２ａの係止凸部１２ａ22と係脱可能に係止する係止爪１２ｂ12と、係止爪１２ｂ12を係止凸部１２ａ22に係止させる方向に付勢するコイルスプリング１２ｂ13とを有する。
【００２８】
《フィルター部》
フィルター部１２ｃは、円環状の外周枠部を有するプリーツ状のフィルター本体１２ｃ1と、フィルター本体１２ｃ1の外周枠部の外周部を覆うパッキン部１２ｃ2と、パッキン部１２ｃ2の外周部に設けられた前記第１ロック機構部１１ｇのフィルター部１２ｃ側の第２係止部１１ｇ2とを有する。
そして、フィルター本体１２ｃ1の外周枠部の内周面に径方向内側に開口する前記係止凹部１２ｃ11が設けられると共に、パッキン部１２ｃ2の外周面に前記位置決め凸部１２ｃ21が設けられている。なお、係止凹部１２ｃ11と位置決め凸部１２ｃ21とは相互に概ね反対位置に配置されると共に、パッキン部１２ｃ2の外周部における係止凹部１２ｃ11側には上下方向に延びる垂下壁部１２ｃ22が連設されている。
【００２９】
第２係止部１１ｇ2は、パッキン部１２ｃ2の垂下壁部１２ｃ22に上下スライド可能に取り付けられたスライド部１１ｇ21と、スライド部１１ｇ21の上端部に設けられて第１ロック機構部１１ｇの駆動装置１１側の第１係止部１１ｇ1（図３、図４）と係脱可能に係止する係止爪１１ｇ22と、係止爪１１ｇ22を第１係止部１１ｇ1に係止させる方向に付勢するコイルスプリング１１ｇ23とを有する。なお、係止爪１１ｇ22は、第１係止部１１ｇ1と係止する際に第１係止部１１ｇ1の周囲壁部と摺接するようフィルター部１２ｃの中心側に傾いた傾斜面部１１ｇ221を有している。
【００３０】
フィルター部１２ｃをフィルター保持部１２ｂの開口部に嵌め込む際、フィルター部１２ｃの垂下壁部１２ｃ22をフィルター保持部１２ｂの第１切欠き部１２ｂ4に落とし込み、かつフィルター部１２ｃの位置決め凸部１２ｃ21をフィルター保持部１２ｂの第２切欠き部１２ｂ5に落とし込んで位置決めする。これにより、パッキン部１２ｃ2は、フィルター保持部１２ｂの開口部内周面に設けられた段部に密着して支持される。
【００３１】
《内筒部》
内筒部１２ｄは、フィルター保持部１２ｂに着脱可能に取り付けられる筒形フィルター部１２ｄ1と、筒形フィルター部１２ｄ1に着脱可能に取り付けられる筒形の仕切部材１２ｄ2とを有する。
筒形フィルター部１２ｄ1は、軸方向に延びる複数のスリットを有する筒形枠体１２ｄ11と、筒形枠体１２ｄ11の外周部に設けられたメッシュ部材１２ｄ12とを有する。
筒形枠体１２ｄ11は、その外周部上端に設けられてフィルター保持部１２ｂの一対の円弧状溝１２ｂ2と係脱可能に係止する一対の係止片１２ｄ111と、その外周部下端に設けられて仕切部材１２ｄ2の後述する一対の円弧状溝１２ｄ231と係脱可能に係止する一対の係止片１２ｄ112とを有する。
【００３２】
仕切部材１２ｄ2は、小径筒部１２ｄ21と、大径筒部１２ｄ22と、小径筒部１２ｄ21の上端部と大径筒部１２ｄ22の内周面とを連結するフランジ部１２ｄ23とを有する。
フランジ部１２ｄ23は、その上面に設けられて筒形フィルター部１２ｄ1の下端部の一対の係止片１２ｄ112と係脱可能に係止する一対の前記円弧状溝１２ｄ231を有する。
【００３３】
大径筒部１２ｄ22は、その下端に外フランジ１２ｄ221を有しており、この外フランジ１２ｄ221によってダストカップ部１２ａの下部に溜まったダストが旋回気流によって舞い上がり、舞い上がったダストが内筒部１２ｄの筒形フィルター部１２ｄ1に付着することにより生じる吸引力低下を抑制することができる。
【００３４】
集塵ユニット１２の組み立て状態において、仕切部材１２ｄ2の小径筒部１２ｄ21は、ダストカップ部１２ａの内底面に設けられた位置決め筒部１２ａ24に嵌り込むと共に、位置決め筒部１２ａ24の周囲に設けられたパッキン１２ａ25に当接する。この状態において、ダストカップ部１２ａ内には、仕切部材１２ｄ2の大径筒部１２ｄ22の下方にダストの塊が溜まるスペースが形成される。
【００３５】
［駆動装置に対するダストカップユニットの脱着について］
図１０は実施形態１における集塵ユニットを駆動装置に装着する状態を示す側断面図であり、図１１は実施形態１におけるフィルター部が組み込まれていない集塵ユニットを駆動装置に装着した状態を示す側断面図である。
集塵ユニット１２（フィルター部１２ｃあり）を駆動装置１１に装着する際は、図１０に示すように、集塵ユニット１２を吸込筒部１１ｄに対して傾けた状態で集塵ユニット１２の係止凹部１２ａ21を駆動装置１１のフック部材１１ｘ2に引っ掛ける。そして、フック部材１１ｘ2を支点として集塵ユニット１２を吸込筒部１１ｄに対して平行な状態にしていくことにより、第１ロック機構部１１ｇにおける集塵ユニット１２側の第２係止部１１ｇ2の係止爪１１ｇ22が駆動装置１１側の第１係止部１１ｇ1に係止すると共に、集塵ユニット１２の係止凹部１２ｃ11が駆動装置１１の係止凸部１１ａ12に係止し、装着が完了する。
【００３６】
なお、集塵ユニット１２を駆動装置１１から取り外す際は、第１ロック機構部１１ｇのスライド部材１１ｇ21を押し下げた状態（図７（Ｂ）参照）でフック部材１１ｘ2を支点として集塵ユニット１２を吸込筒部１１ｄに対して傾けていくことにより、容易に取り外すことができる。
【００３７】
一方、図１１に示すように、フィルター部１２ｃがフィルター保持部１２ｂに組み込まれていない集塵ユニットを駆動装置１１に装着した場合、集塵ユニットのダストカップ部１２ａ側の係止凹部１２ａ21が駆動装置１１の吸込筒部１１ｄ側のフック部材１１ｘ2に係止するが、集塵ユニットのフィルター保持部１２ｂ側が駆動装置１１の本体部１１ａ側と係止できないため、集塵ユニットから手を離すと落下してしまう。
これにより、ユーザーは集塵ユニットにフィルター部が組み込まれていないため集塵ユニットを駆動装置１１に装着できないことに気付くことができる。
【００３８】
すなわち、本発明における電気掃除機によれば、フィルター部１２ｃ自体が装着忘れ防止機能を有しているため、フィルター部１２ｃが装着されていないことをユーザーに気付かせて正しい電気掃除機の使用を促すと共に、フィルター部１２ｃを有さない状態で電気掃除機を駆動させ、ダストを吸い込んだ駆動装置１１が故障するという不具合を防止することができる。それに加え、従来必要であった駆動装置側の装着忘れ防止機構を省略することができるため、電気掃除機の部品点数低減および構造の簡素化を図ることができる。
【００３９】
（実施形態２）
図１２は実施形態２におけるフィルター部を示す側断面図であり、図１３は実施形態２における駆動装置の第１係合部を示す拡大断面図である。なお、図１２と図１３において、図３、図５および図７中の要素と同様の要素には同一の符号を付している。
実施形態２の電気掃除機は、第１ロック機構部１１１ｇの構成が実施形態１の第１ロック機構部１１ｇの構成とは異なる以外は、実施形態１の電気掃除機と同様である。
【００４０】
図１２と図１３に示すように、実施形態２の第１ロック機構部１１１ｇは、駆動装置１１側に設けられた係止孔部１１１ｇ12を有する第１係止部１１１ｇ1と、第１係止部１１１ｇ1の係止孔部１１１ｇ12に係脱可能な集塵ユニット側の第２係止部１１１ｇ2とを有する。
第１係止部１１１ｇ1は、実施形態１における第１係止部１１ｇ1（図１０参照）と同様の係止凹部１１１ｇ11を有すると共に、係止凹部１１１ｇ11の外周壁部を貫通した係止孔部１１１ｇ12を有してなる。
【００４１】
第２係止部１１１ｇ2は、集塵ユニットにおけるフィルター部１１２ｃの外周部に設けられた弾性変形可能な係止片部１１１ｇ21と、係止片部１１１ｇ21の先端部に外側へ向けて設けられた第１係止部１１１ｇ1の係止孔部１１１ｇ12に係脱可能な係止凸部１１１ｇ22とを有する。なお、図１２ではパッキン部１２ｃ2を貫通したフィルター本体１２ｃ1の外周部の一部から斜め突出状に第２係止部１１１ｇ2が設けられた構造を例示したが、パッキン部１２ｃ2の外周部の一部に第２係止部１１１ｇ2が設けられてもよい。
【００４２】
実施形態２の場合も、実施形態１と同様に（図１０参照）、集塵ユニット１２を吸込筒部１１ｄに対して傾けた状態で集塵ユニット１２の係止凹部１２ａ21を駆動装置１１０のフック部材１１ｘ2に引っ掛ける。そして、フック部材１１ｘ2を支点として集塵ユニット１２を吸込筒部１１ｄに対して平行な状態にしていくことにより、第１ロック機構部１１１ｇにおける集塵ユニット１２側の第２係止部１１１ｇ2の係止片部１１１ｇ21が弾性変形して係止凸部１１１ｇ22が駆動装置１１側の第１係止部１１１ｇ1の係止凹部１１１ｇ11内に入り込んで係止孔部１１１ｇ12に係止すると共に、集塵ユニット１２の係止凹部１２ｃ11が駆動装置１１の係止凸部１１ａ12に係止し、装着が完了する。
実施形態２の第１ロック機構部１１１ｇによれば、第２係止部１１１ｇ2の部品点数を低減して構造を簡素化することができる。
【００４３】
なお、集塵ユニット１２を駆動装置１１から取り外す際は、第１ロック機構部１１ｇの第２係止部１１１ｇ2の係止片部１１１ｇ21を指で押すことにより係止凸部１１１ｇ22を係止孔部１１１ｇ12から離脱させ、この状態でフック部材１１ｘ2を支点として集塵ユニット１２を吸込筒部１１ｄに対して傾けていくことにより、容易に取り外すことができる。
【００４４】
一方、図１１で説明したように、実施形態２の場合もフィルター部１１２ｃがフィルター保持部１２ｂに組み込まれていない集塵ユニットを駆動装置１１に装着すると、集塵ユニット１２のダストカップ部１２ａ側の係止凹部１２ａ21が駆動装置１１の吸込筒部１１ｄ側のフック部材１１ｘ2に係止するが、集塵ユニットのフィルター保持部１２ｂ側が駆動装置１１の本体部１１ａ側と係止できないため、集塵ユニットから手を離すと落下してしまう。
これにより、ユーザーは集塵ユニットにフィルター部が組み込まれていないため集塵ユニットを駆動装置１１に装着できないことに気付くことができる。
【００４５】
（実施形態３）
図１４は実施形態３の電気掃除機の内部構造を説明する概略図であり、図１５は図１４の電気掃除機におけるフィルター部が組み込まれていない集塵ユニットを駆動装置に装着した状態を示す概略図である。
実施形態１および２で説明したフィルター部の装着忘れ防止機能を担う第１ロック機構部は、図１４で示すようにサイクロン方式のキャニスター型電気掃除機２０１にも適用可能である。
【００４６】
まず、このキャニスター型電気掃除機２０１の構成を簡単に説明する。
この電気掃除機２０１は、電動送風機２１１ａｍを内蔵した駆動装置２１１と、駆動装置２１１の装着部としての前方開口状の装着凹部２１１ａに着脱可能に装着されるサイクロン方式の集塵ユニット２１２とを有する掃除機本体２１０を備える。
【００４７】
駆動装置２１１は、その筐体後部の左右側面に設けられた一対の車輪２１１ｗｒと、筐体の装着凹部２１１ａの下部の底面に設けられた前輪２１１ｗｆと、上壁部に設けられたハンドル２１１ｂと、後壁部に設けられた排気口２１１ｃと、装着凹部２１１ａの下部前端部に設けられて可撓性ホース２２０と着脱可能に接続する接続部２１１ｄとを備える。
また、装着凹部２１１ａの後部壁面には集塵ユニット２１２のダストカップ部２１２ａの導入口２１２ａ23と接続可能な接続口２１１ｘ3が設けられると共に、装着凹部２１１ａの上部壁面には集塵ユニット２１２のフィルター部２１２ｃと接続可能な下方開口部２１１ａ1が設けられている。
なお、可撓性ホース２２０は、電動送風機２１１ａｍの駆動と停止を操作する操作部を有する延長管を介して吸込口体と接続される（不図示）。
【００４８】
集塵ユニット２１２は、実施形態１（図３および図５等）で説明した集塵ユニット１２と同様に構成されており、ダストカップ部２１２ａと、ダストカップ部２１２ａに着脱可能に装着されるフィルター保持部２１２ｂと、フィルター保持部２１２ｂに着脱可能に装着されるフィルター部２１２ｃおよび内筒部２１２ｄとを備える。
【００４９】
第１ロック機構部２１１ｇも、実施形態１（図３および図５等）で説明した第１ロック機構部１１ｇと同様に構成されており、駆動装置２１１の装着凹部２１１ａの上部前端に設けられた下方開口凹形の第１係止部２１１ｇ1と、集塵ユニット２１２のフィルター部２１２ｃの外周部に設けられた第２係止部２１１ｇ2とを備える。
【００５０】
この電気掃除機２０１によれば、電動送風機２１１ａｍが駆動することにより、ダストを含む空気が駆動装置２１１の接続部２１１ｄから装着凹部２１１ａの下部および後部の通風路を通過して集塵ユニット２１２のダストカップ部２１２ａ内に流入する。なお、図１４中の矢印は空気の流れを示している。
そして、比較的大きいダストが除去された空気は内筒部２１２ｄのメッシュ部材を通過してフィルター保持部２１２ｂ内に流入し、微細なダストが除去された空気がフィルター部２１２ｃを通過して駆動装置２１１内に装着凹部２１１ａの上部から流入して後方の電動送風機２１１ａｍおよびその下部の回路基板２１１ｓが収納された通風路を通過して後部の排気口２１１ｃから排出される。
【００５１】
この電気掃除機２０１において、駆動装置２１１の装着凹部２１１ａに集塵ユニット２１２（フィルター部２１２ｃあり）を装着する際は、第１ロック機構部２１１ｇの第２係止部２１１ｇ2を手前に向けた状態で集塵ユニット２１２を装着凹部２１１ａの奥部へ嵌め込んでいくと、第１ロック機構部２１１ｇにおける集塵ユニット２１２側の第２係止部２１１ｇ2が駆動装置２１１側の第１係止部２１１ｇ1に係止し、装着が完了する。
【００５２】
なお、集塵ユニット２１２を駆動装置２１１から取り外す際は、第１ロック機構部２１１ｇの第２係止部２１１ｇ2を下方へスライドさせることにより第１係止部２１１ｇ1から離脱させ、この状態で集塵ユニット２１２を手前へ移動させれば装着凹部２１１ａから容易に取り外すことができる。
【００５３】
一方、図１５に示すように、実施形態３の場合もフィルター部２１２ｃがフィルター保持部２１２ｂに組み込まれていない集塵ユニットを駆動装置２１１の装着凹部２１１ａに装着すると、装着凹部２１１ａの上部と集塵ユニットのフィルター保持部２１２ｃとの間に隙間Ｓが形成され、かつ集塵ユニットが装着凹部２１１ａに固定されない。
これにより、ユーザーは集塵ユニットにフィルター部２１２ｃが組み込まれていないため集塵ユニットを駆動装置２１１に装着できないことに気付くことができる。なお、この状態で電動送風機２１１ａｍを駆動しても、隙間Ｓから空気が装着凹部２１１ａの下開口部２１１ａ1に流入するため、ダストを含む空気が駆動装置２１１内に流入して故障するといった不具合は生じない。
【００５４】
（他の実施形態１）
１．実施形態３における第１ロック機構部を実施形態２における第１ロック機構部に変更してもよい。
２．実施形態１〜３の電気掃除機では、フィルター部の装着忘れ防止機能を担う第１ロック機構部の第１および第２係止部を駆動装置およびサイクロン方式の集塵ユニットのフィルター部に設けた場合を例示したが、これに限定されるものではなく、駆動装置に集塵部としての紙パックを着脱可能に装着する電気掃除機に適用してもよい。この場合、例えば、紙パックもしくは紙パック保持枠体に第１ロック機構部の凹形の第１係止部を設け、駆動装置の集塵室の開閉蓋に第１ロック機構部の凸形の第２係止部を設け、第２係止部が第１係止部に係止しないと開閉蓋が完全に閉まらないように構成してもよい。開閉蓋が完全に閉まらないことにより、駆動装置に紙パックが装着されていないもしくは正しく装着されていないことをユーザーが気付くことができる。
【００５５】
（まとめ）
本発明の電気掃除機は、集塵ユニットと、前記集塵ユニットを着脱可能に装着させる装着部を有する駆動装置と、前記集塵ユニットを前記駆動装置の装着部へ着脱可能とするロック機構部とを備え、
前記集塵ユニットは、フィルター部と、前記フィルター部を着脱可能に保持するフィルター保持部と、前記フィルター保持部を着脱可能に保持するダストカップ部とを有し、
前記ロック機構部は、前記駆動装置の前記装着部に設けられた第１係止部と、前記第１係止部と係脱可能に前記フィルター部に設けられた第２係止部とを有する。
【００５６】
本発明の電気掃除機は、次のように構成されてもよく、それらが適宜組み合わされてもよい。
（１）前記第１係止部が、係止凹部を有し、
前記第２係止部が、係止爪と、前記係止爪を前記係止凹部に係止させる方向に付勢する付勢部材とを有してもよい。
この構成によれば、駆動装置の装着部に装着された集塵ユニットを取り外す際、付勢部材の付勢方向と逆方向に係止爪をスライドさせることにより係止凹部から離脱させることができる。
【００５７】
（２）前記第１係止部が、係止孔部を有し、
前記第２係止部が、前記係止孔部に係脱可能に係止する係止凸部と、前記係止孔部に対して前記係止凸部を係脱させる方向に弾性変形可能な係止片部とを有してもよい。
この構成によれば、駆動装置の装着部に装着された集塵ユニットを取り外す際、係止片部を押すことにより係止孔部から係止凸部を離脱させることができる。また、第２係止部の部品点数を低減して構造を簡素化することができる。
【００５８】
（３）前記駆動装置が、ハンドルを有するハンディ型であってもよい。
この構成によれば、特に軽量化の要求が高いハンディ型電気掃除機の軽量化に有利となる。
【００５９】
（４）前記駆動装置が、車輪を有するキャニスター型であってもよい。
キャニスター型電気掃除機でもユーザーが掃除機本体を持ちながら掃除する場合があり、この構成によれば掃除機本体の軽量化に対応することができる。
【００６０】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６１】
１、２０１  電気掃除機
１１、２１１  駆動装置
１１ｃ  ハンドル
１１ｇ、１１１ｇ、２１１ｇ  第１ロック機構部
１１ｇ1、１１１ｇ1、２１１ｇ1  第１係止部
１１ｇ2、１１１ｇ2、２１１ｇ2  第２係止部
１１ｇ22  係止爪
１１ｇ23  付勢部材
１２、２１２  集塵ユニット
１２ａ、２１２ａ  ダストカップ部
１２ｂ、２１２ｂ  フィルター保持部
１２ｃ、１１２ｃ、２１２ｃ  フィルター部
１１１ｇ12  係止孔部
１１１ｇ21  係止片部
１１１ｇ22  係止凸部
２１１ａ  装着凹部
２１１ｗｒ  車輪
【図１】
2019122659.tif 000003
【図２】
2019122659.tif 000004
【図３】
2019122659.tif 000005
【図４】
2019122659.tif 000006
【図５】
2019122659.tif 000007
【図６】
2019122659.tif 000008
【図７】
2019122659.tif 000009
【図８】
2019122659.tif 000010
【図９】
2019122659.tif 000011
【図１０】
2019122659.tif 000012
【図１１】
2019122659.tif 000013
【図１２】
2019122659.tif 000014
【図１３】
2019122659.tif 000015
【図１４】
2019122659.tif 000016
【図１５】
2019122659.tif 000017